(57)【要約】【課題】洗面所やトイレ等にて使用される手乾燥装置において、使用者が手を手挿入部に何度も挿抜したり、温風送出ノズルの付近で手もみをするといった煩わしさが軽減できる手乾燥装置を提供することを目的とする。【解決手段】本体内部に設けた送風装置１及び発熱体２からなる温風発生手段３と、前記温風発生手段３からの温風を送出する送出ノズル４と、前記送出ノズル４下部に手挿入部５と、前記手挿入部５の奥側から下部に至る水受け部６を有し、さらに前記送出ノズル４に回転式ノズル７を備えた構成にすることにより風向を変更可能とすることで、使用者が手を何度も手挿入部に挿抜したり、送出ノズル近辺で手もみをする煩わしさを軽減することができる手乾燥装置８を得られる。【選択図】図１
2006247021.tif 000002
【特許請求の範囲】
【請求項１】
本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルを回転式とし、風向を変更可能とした手乾燥装置。
【請求項２】
本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルを回転式とし、前記送出ノズルをモーターにて回転させる請求項１記載の手乾燥装置。
【請求項３】
本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルを回転式とし、前記温風発生手段からの温風を分岐させ、前記送出ノズルを温風にて回転させる請求項１記載の手乾燥装置。
【請求項４】
本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルを回転式とし、前記温風発生手段からの温風を分岐させ、前記送出ノズルを温風にて回転させる構造において、前記送出ノズルの回転に使用した温風を前記手挿入部入口側にカーテン状に排出する構造とした、請求項３記載の手乾燥装置。
【請求項５】
前記送出ノズルを前記手挿入部入口側から奥側に温風が移動する向きに連続的に回転させ、前記手挿入部入口側から奥側へ移動する温風を連続的に発生する請求項２、３または４記載の手乾燥装置。
【請求項６】
挿入した手の乾燥状態を検出し、乾燥状態によって温風を連続あるいは断続を切替えることが可能な請求項２、３または４記載の手乾燥装置。
【請求項７】
挿入した手の乾燥状態を検出し、乾燥状態によって送出ノズルの回転速度を変更することが可能な請求項１記載の手乾燥装置。
【請求項８】
挿入した手に温風を送出する有効な送出ノズルの位置に応じて、風速の高低を切替えることが可能な請求項１記載の手乾燥装置。
【請求項９】
送出ノズルの無効な開口部を閉じることが可能な請求項１記載の手乾燥装置。
【請求項１０】
送出ノズルの有効な開口部を唯一となるように送風装置に配するようにした請求項１記載の手乾燥装置。
【発明の詳細な説明】
【技術分野】
【０００１】
本発明は、洗面所やトイレ等にて手を洗い、濡れた手を温風にて乾燥させる手乾燥装置に関する。
【背景技術】
【０００２】
従来、この種の手乾燥装置では、使用者が手を何度も手挿入部に挿抜したり、送出ノズル近辺で手もみをする煩わしさを解決するために、手に当たる温風の向きを変える方法として、送出ノズルを移動する方法が知られていた（例えば特許文献１参照）。
【０００３】
以下、その手乾燥装置について図９を参照しながら説明する。図９（ａ）は従来の手乾燥装置の構成を示す概略図であり、図９（ｂ）は送出ノズルのノズル手前側とノズル奥側を示す拡大図である。
【０００４】
図に示すように、手乾燥装置１０１は本体内部に設けた送風装置１０２及び発熱体１０３からなる温風発生手段１０４と、前記温風発生手段１０４からの温風を送出する送出ノズル１０５と、前記送出ノズル１０５の下部に手挿入部１０６と、前記手挿入部１０６の奥側から下部に至る水受け部１０７を有し、前記送出ノズル１０５を送出ノズル駆動部１０８により前記手挿入部の入口側と奥側の間を移動させ、使用者が手を何度も手挿入部に挿抜したり、送出ノズル近辺で手もみをしたりする煩わしさを軽減できるものである。
【特許文献１】特開２００３−２３５７５６号公報（段落番号００２７、図１）
【発明の開示】
【発明が解決しようとする課題】
【０００５】
このような従来の手乾燥装置の方法では、送出ノズルを可動し、手に当たる温風の位置を変えるための構造が大きくなり、複雑でコストがかかるという課題があった。
【０００６】
本発明は、上記従来の課題を解決するもので、送出ノズルを回転式とし、風向を変更可能とする構成としたものであり、低コストで実現可能な構造で風向を変化させ、使用者が手を何度も手挿入部に挿抜したり、送出ノズル近辺で手もみをしたりする煩わしさを軽減できるものである。
【課題を解決するための手段】
【０００７】
本発明の手乾燥装置は上記目的を達成するために、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルを回転式とし、風向を変更可能とする構成としたものである。
【０００８】
この手段により、使用者が手を何度も手挿入部に挿抜したり、送出ノズル近辺で手もみをしたりする煩わしさを軽減できる手乾燥装置が得られる。
【０００９】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記回転式ノズルをモーターにて回転させる構成としたものである。
【００１０】
この手段により、送出ノズルの回転すなわち風向の変更を容易に実現することができる手乾燥装置が得られる。
【００１１】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記温風発生手段からの温風を分岐させ、前記に回転式ノズルを温風にて回転させる構成としたものである。
【００１２】
この手段により、送出ノズルの回転を駆動源なく実現することができ、より簡単な構成で実現することができる手乾燥装置が得られる。
【００１３】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記温風発生手段からの温風を分岐させ、前記回転式ノズルを温風にて回転させる構造において、前記回転式ノズルの回転に使用した温風を前記手挿入部入口側にカーテン状に排出する構造としたものである。
【００１４】
この手段により、回転式ノズルの回転を駆動源なく実現することができ、さらに回転に使用した温風を手の乾燥に利用し、カーテン状に排出することで水の跳ね返りを少なくすることができ、より簡単な構成でかつより効果的に手を乾燥させることができる手乾燥装置が得られる。
【００１５】
さらに、前記送出ノズルを前記手挿入部入口側から奥側に温風が移動する向きに連続的に回転させ、前記手挿入部入口側から奥側へ移動する温風を連続的に発生する構成としたものである。
【００１６】
この手段により、手を乾燥させる時に手及び水受け部から使用者への水の跳ね返りを低減させると共に、より乾燥時間を短くすることができる手乾燥装置が得られる。
【００１７】
また、挿入した手の乾燥状態を検出し、乾燥状態によって温風を連続あるいは断続を切替えることが可能な構成としたものである。
【００１８】
この手段により、より効率的に水を飛ばすことができ、また不要な温風の送出を避け、消費電力を低減することができる手乾燥装置が得られる。
【００１９】
さらに、挿入した手の乾燥状態を検出し、乾燥状態によって回転式ノズルの回転速度を変更することが可能な構成としたものである。
【００２０】
この手段により、手の乾燥状態に合わせた回転式ノズルの走査を実現し、水滴の残った部位をよりきめ細かに温風を当てることができるため、乾燥時間を短縮できると共により装置使用後の乾燥度合、すなわちユーザーの快適性を向上させることができる手乾燥装置が得られる。
【００２１】
また、挿入した手に温風を送出する有効な回転式ノズルの位置に応じて、風速の高低を切替えることが可能な構成としたものである。
【００２２】
この手段により、有効な回転式ノズルが手の濡れた部位に位置しない場合の不要な送出を低減する、すなわち不要な温風で水受け部に付着した水滴を手挿入部入口側に飛ばすことを低減させることができる手乾燥装置が得られる。
【００２３】
さらに、回転式ノズルの無効な開口部を閉じることが可能な構成としたものである。
【００２４】
この手段により、不要な温風を防止することができ、水受け部に付着した水滴を手挿入部入口側に飛ばすことを低減すると同時に送風装置に加わる負荷を低減させることによる省電力化を可能とすることができる手乾燥装置が得られる。
【００２５】
また、回転式ノズルの有効な開口部を唯一となるように構成したものである。
【００２６】
この手段により、回転式ノズルの無効な開口部を構造的に閉じることができ、複雑な制御を必要とせず、不要な温風を防止し、水受け部に付着した水滴を手挿入部入口側に飛ばすことを低減すると同時に送風装置に加わる負荷を低減させることによる省電力化を可能とすることができる手乾燥装置が得られる。
【発明の効果】
【００２７】
本発明によれば、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、風向を変更可能とする構成とすることで、使用者が手を何度も手挿入部に挿抜したり、送出ノズル近辺で手もみをしたりする煩わしさを軽減できる手乾燥装置を提供できる。
【００２８】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記回転式ノズルをモーターにて回転させる構成とすることで、回転式ノズルの回転すなわち風向の変更を容易に実現することができる手乾燥装置を提供できる。
【００２９】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記温風発生手段からの温風を分岐させ、前記回転式ノズルを温風にて回転させる構成とすることで、回転式ノズルの回転を駆動源なく実現することができ、より簡単な構成で実現することができる手乾燥装置を提供できる。
【００３０】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記温風発生手段からの温風を分岐させ、前記回転式ノズルを温風にて回転させる構造において、前記回転式ノズルの回転に使用した温風を前記手挿入部入口側にカーテン状に排出する構造とすることで、回転式ノズルの回転を駆動源なく実現することができ、さらに回転に使用した温風を手の乾燥に利用し、カーテン状に排出することで水の跳ね返りを少なくすることができ、より簡単な構成でかつより効果的に手を乾燥させることができる手乾燥装置を提供できる。
【００３１】
さらに、前記送出ノズルを前記手挿入部入口側から奥側に温風が移動する向きに連続的に回転させ、前記手挿入部入口側から奥側へ移動する温風を連続的に発生する構成とすることで、手を乾燥させる時に手及び水受け部からの水の跳ね返りを低減させると共に、より乾燥時間を短くすることができる手乾燥装置を提供できる。
【００３２】
また、挿入した手の乾燥状態を検出し、乾燥状態によって温風を連続あるいは断続を切替えることが可能な構成とすることで、より効率的に水を飛ばすことができ、また不要な温風の送出を避け、消費電力を低減することができる手乾燥装置を提供できる。
【００３３】
さらに、挿入した手の乾燥状態を検出し、乾燥状態によって回転式ノズルの回転速度を変更することが可能な構成とすることで、手の乾燥状態に合わせた回転式ノズルの走査を実現し、水滴の残った部位をよりきめ細かに温風を当てることができるため、乾燥時間を短縮できると共に装置使用後の乾燥度合、すなわちユーザーの快適性を向上させることができる手乾燥装置を提供できる。
【００３４】
また、挿入した手に温風を送出する有効な回転式ノズルの位置に応じて、風速の高低を切替えることが可能な構成とすることで、有効な回転式ノズルが手の濡れた部位に位置しない場合の不要な送出を低減する、すなわち不要な温風で水受け部に付着した水滴を手挿入部入口側に飛ばすことを低減させることができる手乾燥装置を提供できる。
【００３５】
さらに、回転式ノズルの無効な開口部を閉じることが可能な構成とすることで、不要な温風を防止することができ、水受け部に付着した水滴を手挿入部入口側に飛ばすことを低減すると同時に送風装置に加わる負荷を低減させることによる省電力化を可能とすることができる手乾燥装置を提供できる。
【００３６】
また、回転式ノズルの有効な開口部を唯一となるような構成とすることで、回転式ノズルの無効な開口部を構造的に閉じることができ、複雑な制御を必要とせず、不要な温風を防止し、水受け部に付着した水滴を手挿入部入口側に飛ばすことを低減すると同時に送風装置に加わる負荷を低減させることによる省電力化を可能とすることができる手乾燥装置を提供できる。
【発明を実施するための最良の形態】
【００３７】
本発明の請求項１記載の発明は、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、風向を変更可能とする構成としたものであり、使用者が手を何度も手挿入部に挿抜したり、送出ノズル近辺で手もみをしたりする煩わしさを軽減できるという作用を有する。
【００３８】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記回転式ノズルをモーターにて回転させる構成としたものであり、回転式ノズルの回転すなわち風向の変更を容易に実現することができるという作用を有する。
【００３９】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至るに水受け部を有し、前記送出ノズルに回転式ノズルを設け、前記温風発生手段からの温風を分岐させ、前記回転式ノズルを温風にて回転させる構成としたものであり、回転式ノズルの回転を駆動源なく実現することができ、より簡単な構成で実現することができるという作用を有する。
【００４０】
また、本体内部に設けた送風装置及び発熱体からなる温風発生手段と、前記温風発生手段からの温風を送出する送出ノズルと、前記送出ノズル下部に手挿入部を、さらに前記手挿入部の奥側から下部に至る水受け部を有し、前記送出ノズルに回転式ノズルを設け、前記温風発生手段からの温風を分岐させ、前記回転式ノズルを温風にて回転させる構造において、前記回転式ノズルの回転に使用した温風を前記手挿入部入口側にカーテン状に排出する構造としたものであり、前記回転式ノズルの回転を駆動源なく実現することができ、さらに回転に使用した温風を手の乾燥に利用し、カーテン状に排出することで水の跳ね返りを少なくすることができ、より簡単な構成でかつより効果的に手を乾燥させることができるという作用を有する。
【００４１】
また、前記送出ノズルを前記手挿入部入口側から奥側に温風が移動する向きに連続的に回転させ、前記手挿入部入口側から奥側へ移動する温風を連続的に発生する構成としたものであり、手を乾燥させる時に手及び水受け部からの水の跳ね返りを低減させると共に、より乾燥時間を短くすることができるという作用を有する。
【００４２】
また、挿入した手の乾燥状態を検出し、乾燥状態によって温風を連続あるいは断続を切替えることが可能な構成としたものであり、より効率的に水を飛ばすことができ、また不要な温風の送出を避け、消費電力を低減することができるという作用を有する。
【００４３】
また、挿入した手の乾燥状態を検出し、乾燥状態によって回転式ノズルの回転速度を変更することが可能な構成としたものであり、手の乾燥状態に合わせた送出ノズルの走査を実現し、水滴の残った部位をよりきめ細かに温風を当てることができるため、乾燥時間を短縮できると共により装置使用後の乾燥度合、すなわちユーザーの快適性を向上させることができるという作用を有する。
【００４４】
また、挿入した手に温風を送出する有効な回転式ノズルの位置に応じて、風速の高低を切替えることが可能な構成としたものであり、有効な回転式ノズルが手の濡れた部位に位置しない場合の不要な送出を低減する、すなわち不要な温風で水受け部に付着した水滴を手挿入部入口側に飛ばすことを低減させることができるという作用を有する。
【００４５】
さらに、回転式ノズルの無効な開口部を閉じることが可能な構成としたものであり、不要な温風を防止することができ、水受け部に付着した水滴を手挿入部入口側に飛ばすことを低減すると同時に送風装置に加わる負荷を低減させることによる省電力化を可能とすることができるという作用を有する。
【００４６】
また、回転式ノズルの有効な開口部を唯一となるような構成としたものであり、回転式ノズルの無効な開口部を構造的に閉じることができ、複雑な制御を必要とせず、不要な温風を防止し、水受け部に付着した水滴を手挿入部入口側に飛ばすことを低減すると同時に送風装置に加わる負荷を低減させることによる省電力化を可能とすることができるという作用を有する。
【００４７】
以下、本発明の実施の形態について図面を参照しながら説明する。
【００４８】
（実施の形態１）
以下、本発明の実施の形態１について図面を参照しながら説明する。
【００４９】
図１（ａ）は手乾燥装置の構成を示す概略図であり、図１（ｂ）は回転式ノズルの拡大図である。図１に示すように、本体内部に設けた送風装置１及び発熱体２からなる温風発生手段３と、前記温風発生手段３からの温風を送出する送出ノズル４と、前記送出ノズル４下部に手挿入部５と、前記手挿入部５の奥側から下部に至る水受け部６を有し、前記送出ノズル４に回転式ノズル７を備えた手乾燥装置８を構成する。温風発生手段３としては温風を発生できるものであれば良く、送風機に発熱する発熱体２であるヒータ等を組み込んだもの等がある。
【００５０】
上記構成において、風向を変更可能とすることで、使用者が手を何度も手挿入部に挿抜したり、送出ノズル近辺で手もみをする煩わしさを軽減することができる。
【００５１】
なお、本実施の形態１では、送出ノズルが１個の手乾燥装置としているが、送出ノズルを複数設け、手の両面より吹出す手乾燥装置においても同様の作用効果をもたらすことは言うまでもない。
【００５２】
（実施の形態２）
次に、本発明の実施の形態２について図面を参照しながら説明する。なお、実施の形態１と同一のものは同一番号を付し、その詳細な説明を省略する。
【００５３】
図２（ａ）は手乾燥装置の構成を示す概略図であり、図２（ｂ）は回転式ノズルとノズル駆動モーターの詳細図である。図２に示すように、本体内部に設けた送風装置１及び発熱体２からなる温風発生手段３と、前記温風発生手段３からの温風を送出する送出ノズル４と、前記送出ノズル４下部に手挿入部５と、前記手挿入部５の奥側から下部に至る水受け部６を有し、前記送出ノズル４に回転式ノズル７を設け、前記回転式ノズル７を駆動するノズル駆動モーター９を備えた手乾燥装置８を構成する。
【００５４】
上記構成において、ルーバー構造部７の駆動すなわち風向の変更を容易に実現することができる。
【００５５】
（実施の形態３）
次に、本発明の実施の形態３について図面を参照しながら説明する。なお、実施の形態１または２と同一のものは同一番号を付し、その詳細な説明を省略する。
【００５６】
図３に示すように、本体内部に設けた送風装置１及び発熱体２からなる温風発生手段３と、前記温風発生手段３からの温風を送出する送出ノズル４と、前記送出ノズル４下部に手挿入部５と、前記手挿入部５の奥側から下部に至る水受け部６を有し、前記送出ノズル４に回転式ノズル７を設け、前記温風発生手段からの温風を分岐させ、前記回転式ノズル７を温風にて回転させる構成としたものである。
【００５７】
上記構成において、回転式ノズル７の回転を駆動源なく実現することができ、より簡単な構成で実現することができる。
【００５８】
（実施の形態４）
次に、本発明の実施の形態４について図面を参照しながら説明する。なお、実施の形態１、２または３と同一のものは同一番号を付し、その詳細な説明を省略する。
【００５９】
図４に示すように、本体内部に設けた送風装置１及び発熱体２からなる温風発生手段３と、前記温風発生手段３からの温風を送出する送出ノズル４と、前記送出ノズル下部に手挿入部５と、前記手挿入部５の奥側から下部に至る水受け部６を有し、前記送出ノズル４に回転式ノズル７を設け、前記温風発生手段３からの温風を分岐させ、前記回転式ノズル７を温風にて回転させる構造において、前記回転式ノズル７の回転に使用した温風を前記手挿入部５の入口側にカーテン状に排出する構成としたものである。
【００６０】
上記構成において、回転式ノズル７の回転を駆動源なく実現することができ、さらに回転に使用した温風を手の乾燥に利用し、カーテン状に排出することで水の跳ね返りを少なくすることができ、より簡単な構成でかつより効果的に手を乾燥させることができる。
【００６１】
図５（ａ）は手乾燥装置の構成を示す概略図であり、図５（ｂ）は回転式ノズルの拡大図でありノズルの位置における風向きを示しており、最初は風向きが下向きであり、回転後風向きが奥側を向き、次に回転後は風向きが元の下向きに変わる。図５に示すように、回転式ノズル７を手挿入部５入口側から奥側に温風が移動する向きに連続的に回転させ、前記手挿入部５の入口側から奥側へ移動する温風を連続的に発生する構成としたものである。
【００６２】
上記構成において、手を乾燥させる時に水受け部からの水の跳ね返りを低減させると共に、より乾燥時間を短くすることができる。
【００６３】
（実施の形態６）
次に、本発明の実施の形態６について図面を参照しながら説明する。なお、実施の形態１、２、３、４または５と同一のものは同一番号を付し、その詳細な説明を省略する。
【００６４】
図６に示すように、赤外表面温度センサー１５により、挿入した手の乾燥状態を検出し、送風装置制御部１２によって温風を連続あるいは断続を切替えることが可能な構成としたものである。
【００６５】
上記構成において、より効率的に水を飛ばすことができ、また不要な温風の送出を避け、消費電力を低減することができる。
【００６６】
（実施の形態７）
次に、本発明の実施の形態７について図面を参照しながら説明する。なお、実施の形態１、２、３、４、５または６と同一のものは同一番号を付し、その詳細な説明を省略する。
【００６７】
図６に示すように、赤外表面温度センサー１５により、挿入した手の乾燥状態を検出し、ノズル制御部１３によって回転式ノズル７の回転速度を変更することが可能な構成としたものである。
【００６８】
上記構成において、手の乾燥状態に合わせた回転式ノズル７の走査を実現し、水滴の残った部位をよりきめ細かに温風を当てることができるため、乾燥時間を短縮できると共により装置使用後の乾燥度合、すなわちユーザーの快適性を向上させることができる。
【００６９】
（実施の形態８）
次に、本発明の実施の形態８について図面を参照しながら説明する。なお、実施の形態１、２、３、４、５、６または７と同一のものは同一番号を付し、その詳細な説明を省略する。
【００７０】
図６に示すように、ノズル位置検出部１４により回転式ノズル７の位置を検出し、挿入した手に温風を送出する有効な回転式ノズル７の位置に応じて、風速の高低を切替えることが可能な構成としたものである。
【００７１】
上記構成において、有効な回転式ノズル７が手の濡れた部位に位置しない場合の不要な送出を低減する、すなわち不要な温風で水受け部６に付着した水滴を手挿入部５入口側に飛ばすことを低減させることができる。
【００７２】
（実施の形態９）
次に、本発明の実施の形態９について図面を参照しながら説明する。なお、実施の形態１、２、３、４、５、６、７または８と同一のものは同一番号を付し、その詳細な説明を省略する。
【００７３】
図７（ａ）は手乾燥装置の構成を示す概略図であり、図７（ｂ）は  回転式ノズルの拡大図である。図７に示すように、回転式ノズル７にノズルシャッター１６を設け、回転式ノズル７の無効な開口部を閉じることが可能な構成としたものである。
【００７４】
上記構成において、不要な温風を防止することができ、水受け部６に付着した水滴を手挿入部５入口側に飛ばすことを低減すると同時に送風装置１に加わる負荷を低減させることによる省電力化を可能とする。
【００７５】
（実施の形態１０）
次に、本発明の実施の形態１０について図面を参照しながら説明する。なお、実施の形態１、２、３、４、５、６、７、８または９と同一のものは同一番号を付し、その詳細な説明を省略する。
【００７６】
図８（ａ）は手乾燥装置の構成を示す概略図であり、図８（ｂ）は回転式ノズルの拡大図であり、ノズルの位置における風向きを示しており、最初は風向きが下向きであり、回転後風向きが奥側を向き、次に回転後は風向きが元の下向きに変わり、ノズルを回転させることで有効な開口部が唯一となっている。図８に示すように、回転式ノズル７の有効な開口部を唯一となるように配するよう構成したものである。
【００７７】
上記構成において、回転式ノズル７の無効な開口部を構造的に閉じることができ、複雑な制御を必要とせず、不要な温風を防止し、水受け部６に付着した水滴を手挿入部５入口側に飛ばすことを低減すると同時に送風装置１に加わる負荷を低減させることによる省電力化を可能とする。
【産業上の利用可能性】
【００７８】
水滴を高風速で飛ばし、残った水分を大風量の温風で効率的な乾燥をすることにより、水洗いした後の乾燥手法において、効率的な乾燥を行うことができる。
【図面の簡単な説明】
【００７９】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４の手乾燥装置の構成を示す概略図
【図５】本発明の実施の形態５の手乾燥装置の構成を示す概略図
【図６】本発明の実施の形態６、７、８の手乾燥装置の構成を示す概略図
【図７】本発明の実施の形態９の手乾燥装置の構成を示す概略図
【図８】本発明の実施の形態１０の手乾燥装置の構成を示す概略図
【図９】従来の手乾燥装置の構成を示す概略図
【符号の説明】
【００８０】
１    送風装置
２    発熱体
３    温風発生手段
４    送出ノズル
５    手挿入部
６    水受け部
７    回転式ノズル
８    手乾燥装置
９    ノズル駆動モーター
１０  ノズル駆動羽根車
１１  カーテンノズル
１２  送風装置制御部
１３  ノズル制御部
１４  ノズル位置検出部
１５  赤外表面温度センサー
１６  ノズルシャッター
１０１  手乾燥装置
１０２  送風装置
１０３  発熱体
１０４  温風発生手段
１０５  送出ノズル
１０６  手挿入部
１０７  水受け部
１０８  送出ノズル駆動部
【図１】
2006247021.tif 000003
【図２】
2006247021.tif 000004
【図３】
2006247021.tif 000005
【図４】
2006247021.tif 000006
【図５】
2006247021.tif 000007
【図６】
2006247021.tif 000008
【図７】
2006247021.tif 000009
【図８】
2006247021.tif 000010
【図９】
2006247021.tif 000011